(57)【特許請求の範囲】
【請求項１】
コンクリート系パネルの周面に、チャンネル状で金属製のガスケット受け材が、パネル成形時の一体的埋込み方式にて取り付けられ、このチャンネル状受け材の内部に、ガスケットが、側面部における凹凸掛止係合によって抜止め状態に嵌合保持され、ガスケット受け材の底壁には、受け材取外し用のネジ孔が貫通して形成されていることを特徴とするコンクリート系パネルにおけるガスケットの取付け構造。
【発明の詳細な説明】
【０００１】
【発明の属する技術分野】
本発明は、例えば、外壁用などとして用いられるガラス繊維強化コンクリートパネル（以下、ＧＲＣパネルという）やプレキャストコンクリートパネル（以下、ＰＣパネルという）などのコンクリート系パネルにおけるガスケットの取付け構造に関する。
【０００２】
【従来の技術】
例えば、図５（イ）（ロ）に示すように、外壁用のＧＲＣパネル５１やＰＣパネル５２には、これと隣り合って配設される同種パネルとの間の目地部の防水のため、その周面に、二次ガスケット５３が取り付けられている。
【０００３】
従来、この二次ガスケット５３は、パネル５１，５２の成形時にパネル周面に同時一体成形されたガスケット位置決め用の溝５４内に、接着剤にて取り付けられて、パネル５１，５２に備えられていた。
【０００４】
【発明が解決しようとする課題】
しかしながら、上記のような接着剤を用いた取付け構造では、接着剤の塗布にバラツキがあったり、また、接着時のガスケット５３の押付け度合いが弱かったような場合には、二次ガスケット５３がパネル５１，５２に適正に接着されず、パネル５１，５２の運搬時や建方時に、二次ガスケット５３がパネル５１，５２から外れてしまうというようなことも起こり得た。
【０００５】
また、建物の解体などにおいて、パネル５１，５２や二次ガスケット５３の廃棄あるいはリサイクルのためにガスケット５３をパネル５１，５２から取り外すような場合、接着剤による取付け構造では、ガスケット５３とパネル５１，５２との接合力がかなり強いために、その取外しが容易ではなかった。
【０００６】
また、ガスケット５３を取り外せたとしても、パネル５１，５２や二次ガスケット５３に接着剤の残渣が付着したままとなったり、また、ガスケット５３の取外しの際に、ガスケット５３の一部が引きちぎられてパネル５１，５２に付着したままとなることがあり、これら不純物残渣は除去しにくく、廃棄やリサイクルに際し、その処理に支障を来たすという問題もあった。
【０００７】
本発明は、上記のような従来の問題点に鑑み、ガスケットを適正かつしっかりとパネルに取り付けることができると共に、その取外しも容易に行うことができ、しかも、取外しの際に不純物残渣をガスケット側やパネル側に残すことがなく、それらの廃棄やリサイクル処理を支障なく行うことができるコンクリート系パネルにおけるガスケットの取付け構造を提供することを課題とする。
【０００８】
【課題を解決するための手段】
上記課題は、コンクリート系パネルの周面に、チャンネル状で金属製のガスケット受け材が、パネル成形時の一体的埋込み方式にて取り付けられ、
このチャンネル状受け材の内部に、ガスケットが、側面部における凹凸掛止係合によって抜止め状態に嵌合保持されてなることを特徴とするコンクリート系パネルにおけるガスケットの取付け構造によって解決される。
【０００９】
即ち、本発明の取付け構造では、ガスケットの取付けのために、チャンネル状で金属製のガスケット受け材を用いたものである。ガスケット受け材は、パネル成形時の一体的埋込み方式にてパネルにしっかりと取り付けられ、また、ガスケットは、その弾性を利用してチャンネル状受け材の内部に押込み嵌合することによって、側面部において受け材と凹凸掛止係合し抜止め状態にしっかりと保持される。これにより、ガスケットはパネルに適正かつしっかりと取り付けられ、不本意に脱落を起こすようなことはない。
【００１０】
しかも、一旦取り付けられたガスケットは、それ自体の有する弾性を利用して受け材から引き抜く、あるいは、カッターにてガスケットに切り目を入れて引き抜くなどすることによって、容易に取り外すことができる。
【００１１】
加えて、ガスケットは、受け材に対し凹凸掛止係合によって取り付けられていたものであることにより、この取外しによって、ガスケットに接着剤等の不純物が付着して分離しにくいというような問題が起こることはないし、また、ガスケット受け材についても、接着剤やガスケットの残渣等の不純物が付着して分離しにくいというような問題も起こらない。また、ガスケット受け材は、パネルとは、パネル成形時の一体的埋込み方式にて取り付けられたものであることにより、受け材とパネルとを分離させた際に、受け材やパネルに接着剤等の不純物が付着してこれを除去しにくいというような問題も起こらない。従って、ガスケット、ガスケット受け材及びパネルをそれぞれ純粋なかたちで分解できて、廃棄やリサイクルを有利に行うことができる。
【００１２】
また、ガスケット受け材の底壁に、受け材取外し用のネジ孔が貫通して形成されている構造とすることにより、ガスケット取外し後に受け材をパネルから取り外すに際しては、ネジをネジ孔に螺入させていき、ネジの先端でパネルを押すことで、受け材は容易にパネルから分離される。
【００１３】
【発明の実施の形態】
次に、本発明の実施形態を図面に基づいて説明する。
【００１４】
図１及び図２に示す一実施形態において、１は外壁用のパネル、２はガスケット受け材、３は二次ガスケットである。
【００１５】
パネル１は、ガラス繊維にて強化されたコンクリート製の本体部１ａの内面側に緩衝材１ｂを介してパネルフレーム１ｃを備えさせたＧＲＣパネルによるものである。１ｄはタイルである。
【００１６】
ガスケット受け材２は、チャンネル状のアルミニウム製押出型材によるもので、その両側壁２ａ，２ａは、底壁の側とは反対の側の開口側に向けて外方に傾斜して開かれている。そして、両側壁２ａ，２ａの内面部には、その高さ方向中間部位置において、ガスケット３を掛止係合させる凸条４，４が押出一体成形されている。また、この受け材２の底壁２ｂには、図４（イ）に示すように、受け材取外し用のネジ孔５が一つ、又は、長手方向に適当なピッチで複数、貫通して形成されている。
【００１７】
このガスケット受け材２は、上記のＧＲＣパネル１を成形する際に、パネル成形用の型枠にセットされ、型枠にコンクリートを流し込むことによってパネル１の周面に埋込み状態に一体的に取り付けられている。
【００１８】
そして、ガスケット３は、軟質ゴム製の中空のガスケット本体部３ａに、硬質ゴム製の取付け用基部３ｂが一体的に接合されたもので、この基部３ｂの両側面部には、ガスケット受け材２の凸条４，４を嵌め込ませる凹条６，６が長さ方向に延びて形成されている。また、基部３ｂの先端側は、受け材２への嵌合を容易に行い得るように、先細りテーパー状に形成されている。
【００１９】
このガスケット３の取付けは、その取付け用基部３ｂを、その弾性を利用してパネル１の受け材２の内部に強制嵌合することによって行われる。この強制嵌合により、受け材２の凸条４，４がガスケット３側の凹条６，６内に嵌め込まれ、それによって、ガスケット３は、受け材２と、側面部において凹凸掛止係合され、抜止め状態にしっかりと保持される。これにより、パネル１の運搬や建方の際にガスケット３が不本意に脱落してしまうというようなことは起こらない。特に、ガスケット３は、上記のように、その取付け用基部３ｂがガスケット本体部３ａよりも硬質に構成されて、それぞれに求められるゴム硬さを備えた構成となされているから、ガスケット３は、しっかりと受け材２に保持されて、パネル１に備えられる。なお、図示しないが、受け材２及びガスケット３は、パネル１の四周すべてに取り付けられている。このように、ガスケット３の取付けは、受け材２への強制嵌め込みという極めて容易な操作で適正に遂行される。
【００２０】
以上のようにしてガスケット３の取り付けられたパネル１は、図３に示すように、外壁材として建物の躯体に取り付けられ、隣り合うパネル１，１のガスケット３，３の本体部３ａ，３ａ同士が圧縮状態となって密着され、パネル１，１間はしっかりと防水される。
【００２１】
そして、建物の解体時には、パネル１を躯体から取り外した後、パネル１からガスケット３を取り外す。この取外しは、ガスケット３を引き抜くことによって行う。引抜くだけでは取り外せない場合は、カッターナイフ等にてガスケット３の幅方向中央部を切り込むことによって、容易に取り外すことができる。また、受け材２の取外しは、図４（ロ）（ハ）に示すように、ネジ７を、受け材２のネジ孔５に螺合し螺入させていって、ネジ７の先端でパネル本体部１ａを押すことにより行う。これにより、受け材２はパネル１から容易に離脱され取り外される。ガスケット３、ガスケット受け材２及びパネル１には、接着剤等の不純物残渣は付着せず、それぞれ、材料的に純粋なかたちで分離分解できて、廃棄やリサイクルを支障なく行うことができる。
【００２２】
以上に、本発明の実施形態を説明したが、本発明は、これに限られるものではなく、発明思想を逸脱しない範囲で、各種の変更が可能である。例えば、上記実施形態では、パネルとして、ＧＲＣパネル１を用いた例を示しているが、ＰＣパネルや、その他のコンクリート系のパネルであってよい。要は、パネル１は、ガスケット受け材２をパネル成形時の一体的埋込み方式にて取り付けうるタイプのものであればよい。また、ガスケット３とその受け材２との凹凸掛止係合構造は、上記実施形態の場合とは逆に、ガスケット３側に凸条を、受け材２側に凹条を設けて、それらを掛止係合させる構造など、各種形式の構造が採用されてよい。また、受け材２は、アルミニウム以外のその他の各種金属材であってもよい。また、上記実施形態では、ガスケット３は、その本体部が軟質ゴムにて構成されると共に、取付け用の基部３ｂが硬質ゴムにて構成された複合構造となされているが、各所のゴムの硬さは、それぞれに求められる機能を考慮して決められるものであり、従って、用いるガスケットの形状によっては、硬軟逆の構成となることもありうるし、各所同じ硬さのゴムにて構成されることもありうる。また、本発明において、受け材２における取外し用のネジ孔５は必須のものではなく、これを省略して他の取外し手段が備えられていてもよいし、あるいは特別の取外し手段を備えない構造となされてもよい。
【００２３】
【発明の効果】
以上の次第で、本発明のコンクリート系パネルにおけるガスケットの取付け構造は、コンクリート系パネルの周面に、チャンネル状で金属製のガスケット受け材が、パネル成形時の一体的埋込み方式にて取り付けられ、このチャンネル状受け材の内部に、ガスケットが、側面部における凹凸掛止係合によって抜止め状態に嵌合保持されたものであるから、ガスケットを適正かつしっかりとパネルに取り付けることができると共に、その取外しも容易に行うことができる。しかも、取外しの際に不純物残渣をガスケットやパネル、受け材に残すことがなく、それらの廃棄やリサイクル処理を支障なく行うことができる。
【００２４】
また、ガスケット受け材の底壁に、受け材取外し用のネジ孔が貫通して形成されている構造とすることにより、ネジをネジ孔に螺入させていき、ネジの先端でパネルを押すことで、受け材を容易にパネルから分離させることができる。
【図面の簡単な説明】
【図１】本発明の実施形態を示すもので、ガスケットをパネルとは分離状態にして示す断面斜視図である。
【図２】図（イ）はガスケットの取付け方法を示す断面図、図（ロ）は取付け状態を示す断面図である。
【図３】パネルを躯体側に取り付けた状態を示す断面図である。
【図４】図（イ）は受け材の断面斜視図、図（ロ）及び図（ハ）は受け材の取外し方法を示す断面図である。
【図５】従来例を示すもので、図（イ）はＧＲＣパネルの場合のガスケットの取付け状態を示す断面図、図（ロ）はＰＣパネルの場合のガスケットの取付け状態を示す断面図である。
【符号の説明】
１…パネル
２…受け材
３…二次ガスケット
４…凸条
５…ネジ孔
６…凹条
【図１】
0003878306.tif 000002
【図２】
0003878306.tif 000003
【図３】
0003878306.tif 000004
【図４】
0003878306.tif 000005
【図５】
0003878306.tif 000006